(57)【要約】【課題】従来のシステムにおいては、一の端末内での情報のずれや、あるいは端末間の各種情報のずれに応じて、第２の情報を利用したコンテンツの要約再生位置に差が生じてしまう、という課題がある。【解決手段】以上の課題を解決するために、本発明は、第一に、一の端末内での「ずれ」に応じて要約再生情報（第２の情報）を補正する機能を備えたコンテンツの再生装置を提供する。具体的には、コンテンツを再生するための再生部と、再生部での再生に基づいて再生部で利用する再生開始・終了時間情報などを含むコンテンツの要約再生情報を生成する要約再生情報生成部と、生成した要約再生情報を保持する要約再生情報保持部と、保持されている要約再生情報の時間情報を補正する補正部と、を有する再生装置である。【選択図】図２
2009027521.tif 000002
【特許請求の範囲】
【請求項１】
コンテンツを再生するための再生部と、
再生部での再生に基づいて再生部で利用する再生開始・終了時間情報などを含むコンテンツの要約再生情報を生成する要約再生情報生成部と、
生成した要約再生情報を保持する要約再生情報保持部と、
保持されている要約再生情報の時間情報を補正する補正部と、
を有する再生装置。
【請求項２】
保持部に保持すべき要約再生情報を他の再生装置から取得する要約再生情報取得部をさらに有する請求項１に記載の再生装置。
【請求項３】
時計部を有し、
補正部は、要約再生情報に含まれる時間情報を時計部の時間に合わせるように補正する時計部基準補正手段を有する請求項１又は２に記載の再生装置。
【請求項４】
コンテンツを再生するための再生部を有する再生装置の制御方法であって、
再生部での再生に基づいて再生部で利用する再生開始・終了時間情報などを含むコンテンツの要約再生情報を生成する要約再生情報生成ステップと、
生成した要約再生情報を保持するため記録する要約再生情報記録ステップと、
保持されている要約再生情報の時間情報を補正する補正ステップと、
を計算機に実行させる再生装置の制御方法。
【請求項５】
保持すべき要約再生情報を他の再生装置から取得する要約再生情報取得ステップと、
取得した他の再生装置からの要約再生情報を保持するために記録する取得要約再生情報記録ステップと、
をさらに計算機に実行させる請求項４に記載の再生装置の制御方法。
【請求項６】
時計部をさらに有する再生装置の制御方法であって、
補正ステップは、要約再生情報に含まれる時間情報を時計部の時間に合わせるように補正する時計部基準補正ステップを含み計算機に実行させる請求項４又は５に記載の再生装置の制御方法。
【発明の詳細な説明】
【技術分野】
【０００１】
本発明は、コンテンツを要約再生するための技術に関する。
【背景技術】
【０００２】
従来、録画などしたコンテンツを視聴し楽しむことが一般的に行われている。そのような中で、例えば野球の試合の中でホームランシーンや得点シーンのみが見たい、といった需要や、外出中など限られた時間内で例えば携帯端末でドラマのダイジェストだけ見たい、といった需要も生じてきている。そこで、特許文献１では、あるコンテンツ（第１の情報）における例えば得点シーンの再生開始／終了時間を示す第２の情報を、ネットワークを介して他の端末装置に配信する情報提供システムに関する技術が開示されている。そして上記システムによって、同一のコンテンツを保持している複数の端末において、配信された第２の情報を利用して得点シーンなどのみを要約して視聴することができる。
【特許文献１】特開２００３−０１８５１８号公報
【発明の開示】
【発明が解決しようとする課題】
【０００３】
ところで、上記システムでは、第２の情報を配信するユーザＡと、配信された第２の情報を利用するユーザＢとで、例えば同一番組を録画しているなどによって同一のコンテンツを保持していることを前提とする。すると、以下のような課題が生じる。すなわち、Ａ又はＢの端末の内蔵時計が正確ではなかったり、あるいはＡとＢの端末で設定されているタイムゾーンが異なる地域であったりする場合に、第２の情報によってＢの端末にて再生される箇所が、Ａの想定していた箇所とずれてしまうことになる。具体的には同一コンテンツが、例えばＡの端末では１０時３０分から録画され、Ｂの端末では１０時３５分から録画されていることになる。すると、Ａの端末にて生成され配信された「１１時００に放送（録画）された位置から得点シーン」という第２の情報をＢの端末にて利用した場合、得点シーンの５分前から再生が行われてしまうことになる、という具合である。
【０００４】
また、コンテンツが録画番組であれば、録画に余裕を持たせるため開始時刻にマージンを設定しておくことが多いが、ＡとＢの端末においてマージン設定に差がある場合もある。すると、例えば「コンテンツの開始から３０分後の位置から得点シーン」といった第２の情報が利用される場合、やはり、得点シーンの再生開始位置がずれてしまうこともある。あるいは、Ａ又はＢのコンテンツのいずれかがＣＭカットされているなどして、コンテンツの長さが異なっている場合も、やはり同様に第２の情報できちんと要約再生は実行されない。
【０００５】
また、このような課題は複数の端末の間で生じるのみならず、一の端末においても同様に生じ得る。すなわち、第２の情報を生成した際と、その第２の情報を利用して要約再生を行う際とで内蔵時計がずれるなどしていれば、一の端末においても、やはり第２の情報で想定していた位置とは異なった再生位置から、例えば得点シーンが再生されることになってしまう。このように、従来のシステムにおいては、一の端末内での情報のずれや、あるいは端末間の各種情報のずれに応じて、第２の情報を利用したコンテンツの要約再生位置に差が生じてしまう、という課題がある。
【課題を解決するための手段】
【０００６】
以上の課題を解決するために、本発明は、第一に、一の端末内での「ずれ」に応じて要約再生情報（第２の情報）を補正する機能を備えたコンテンツの再生装置を提供する。具体的には、コンテンツを再生するための再生部と、再生部での再生に基づいて再生部で利用する再生開始・終了時間情報などを含むコンテンツの要約再生情報を生成する要約再生情報生成部と、生成した要約再生情報を保持する要約再生情報保持部と、保持されている要約再生情報の時間情報を補正する補正部と、を有する再生装置である。
【０００７】
また、その他に、上記構成に加えて保持部に保持すべき要約再生情報を他の再生装置から取得する要約再生情報取得部をさらに有する再生装置も提供する。これによって、複数の端末間での「ずれ」を補正した上で要約再生情報による要約再生を実行することができる。また上記構成に加えて、時計部を有し、補正部は、要約再生情報に含まれる時間情報を時計部の時間に合わせるように補正する時計部基準補正手段を有する再生装置も提供する。あるいは、そのような再生装置の制御方法も提供する。
【発明の効果】
【０００８】
以上のような構成をとる本発明によって、内蔵時計がずれているなど、同一のコンテンツを有する複数の端末間、あるいは一の端末内で何らかの差がある場合でも、要約再生情報によるコンテンツの要約再生位置を補正し、同期させたうえで要約再生を実行することができるようになる。
【発明を実施するための最良の形態】
【０００９】
以下に、図を用いて本発明の実施の形態を説明する。なお、本発明はこれら実施の形態に何ら限定されるものではなく、その要旨を逸脱しない範囲において、種々なる態様で実施しうる。なお、実施例１は、主に請求項１、４について説明する。また、実施例２は、主に請求項２、５について説明する。また、実施例３は、主に請求項３、６について説明する。
【００１０】
≪実施例１≫
<概要>
図１は、本実施例の再生装置におけるコンテンツの要約再生の一例を表す概念図である。この図にあるように、「Ｈａｐｐｙムービー」という録画コンテンツに関して、「再生開始後、１５分３０秒から１７分４０秒」「同３１分００秒から３４分００秒」、「同４６分１５秒から５０分１２秒」といった要約再生情報が生成されている。
【００１１】
しかしユーザは、「Ｈａｐｐｙムービー」の録画時に録画開始マージン分「３０秒」を設定していたため、冒頭３０秒間は「Ｈａｐｐｙムービー」の本編とは無関係のＣＭ映像が挿入されている。そのため、後日ＣＭカット編集を行う場合や、後述する他の端末へこの要約再生情報を配信する場合に、要約再生情報の生成時に想定していた再生位置とずれてしまう可能性がある。
【００１２】
そこで、本実施例では、例えば冒頭３０秒のＣＭカット編集などを行った際に、上記要約再生情報に関してそれぞれ３０秒前倒しになるよう演算処理によって新たな位置情報を算出し直し、要約再生情報を補正する、といった処理を行う。
【００１３】
あるいはＧＵＩを介したユーザの入力操作によって指定された、例えばコンテンツのオープニングシーン（コンテンツ開始から３０秒後）を同期位置として特定し、その位置情報を保持しておく。また、その同期位置をコンテンツの開始位置となるよう、要約再生情報の補正（３０秒前倒し）処理を実行する。そして、指定された同期位置に関して例えば画像情報を保持しておくことで、次回以降の要約再生において画像マッチングによって同期位置を特定し、たとえコンテンツ開始位置の異なる同一コンテンツであっても、きちんと要約再生を実行することができる、という具合である。また、このような同期位置の指定を行うことで、内蔵時計のずれなども吸収することができる、と言う具合である。
【００１４】
<機能的構成>
図２は、本実施例の再生装置における機能ブロックの一例を表す図である。この図にあるように、本実施例の「再生装置」（０２００）は、「再生部」（０２０１）と、「要約再生情報生成部」（０２０２）と、「要約再生情報保持部」（０２０３）と、「補正部」（０２０４）と、を有する。
【００１５】
なお、以下に記載する本装置の機能ブロックは、ハードウェア、ソフトウェア、又はハードウェア及びソフトウェアの両方として実現され得る。具体的には、コンピュータを利用するものであれば、ＣＰＵや主メモリ、バス、あるいは二次記憶装置（ハードディスクや不揮発性メモリ、ＣＤ−ＲＯＭやＤＶＤ−ＲＯＭなどの記憶メディアとそれらメディアの読取ドライブなど）、印刷機器や表示装置、その他の外部周辺装置などのハードウェア構成部やその外部周辺機器用のＩ／Ｏポート、それらハードウェアを制御するためのドライバプログラムやその他アプリケーションプログラム、情報入力に利用されるユーザーインターフェースなどが挙げられる。
【００１６】
またこれらハードウェアやソフトウェアは、主メモリ上に展開したプログラムをＣＰＵで演算処理したり、メモリやハードディスク上に保持されているデータや、インターフェースを介して入力されたデータなどを加工、蓄積、出力処理したり、あるいは各ハードウェア構成部の制御を行ったりするために利用される。また、この発明は装置として実現できるのみでなく、方法としても実現可能である。また、このような発明の一部をソフトウェアとして構成することができる。さらに、そのようなソフトウェアをコンピュータに実行させるために用いるソフトウェア製品、及び同製品を記録媒体に固定した記録媒体も、当然にこの発明の技術的な範囲に含まれる（本明細書の全体を通じて同様である）。
【００１７】
「再生部」（０２０１）は、コンテンツを再生するための機能を有する。「コンテンツ」とは、例えば動画、音楽などのデータが挙げられる。そして、この再生部は、これら動画や音楽データを再生するためのデコーダや出力用ディスプレイ／スピーカなどが挙げられる。そして、ここで再生されるコンテンツに関して、次のようにして要約再生情報が生成されることになる。
【００１８】
「要約再生情報生成部」（０２０２）は、再生部での再生に基づいて再生部で利用する再生開始・終了時間情報などを含むコンテンツの要約再生情報を生成する機能を有する。この要約再生情報生成部は、例えばＧＵＩなどによって実現することができ、ユーザは入力デバイスを利用して、コンテンツに関して要約再生を所望する位置を入力する。すると、要約再生情報生成部では、その受付けた情報を元に以下のような要約再生情報を生成する、と言う具合である。また、以下のような要約再生情報の生成は、その他にもコンテンツ内容を、例えばＣＰＵの演算処理などによるパターンマッチング処理で判断し、計算機が自動的に生成するような構成であっても良い。
【００１９】
「要約再生情報」とは、あるコンテンツに関する再生箇所を示す情報をいい、例えば図３に示すように「３０分００秒後」と言った具合に、コンテンツの開始位置から経過時間によって再生箇所を示す情報が挙げられる。また、要約再生情報は、要約再生を適用するコンテンツを特定するための例えば「コンテンツ名」や、放送番組コンテンツであれば「放送局（チャンネル）」「放送日時」などの情報を含むと良い。
【００２０】
しかし、このような要約再生情報であれば、例えば内蔵時計がずれていて録画開始時間が異なった場合や、冒頭ＣＭのカットなどを原因として、同一のコンテンツであってもその開始位置が異なっていることがある。そしてそのような場合、きちんとした要約再生が実行されない。そこで、本実施例では、後述するように、その要約再生情報を開始位置が異なっていてもきちんと要約再生されるよう補正する機能を備えることを特徴とする。
【００２１】
「要約再生情報保持部」（０２０３）は、生成した要約再生情報を保持する機能を有し、例えば、ハードディスクドライブ（ＨＤＤ）やフラッシュメモリ、ＤＶＤ−ＲＯＭなどの各種記録媒体によって実現することができる。そして、ここで保持されている要約再生情報に関し、各種「ずれ」等に応じて補正が実行されることになる。
【００２２】
「補正部」（０２０４）は、保持されている要約再生情報の時間情報を補正する機能を有する。この補正部での補正処理は、以下のように様々な補正の形態が挙げられる。例えば、ＣＭカットなどによるコンテンツの長さが変更になった際に、コンテンツのカット分に応じて要約再生情報で示される時間情報を前倒しにする処理が挙げられる。
【００２３】
あるいは、内蔵時計のずれやタイムゾーンの相違などによるコンテンツの開始（録画）タイミングのずれがあることを想定し、絶対的な開始位置（同期位置）を指定させ、その指定位置に応じて補正する処理も挙げられる。具体的には、例えばユーザがＧＵＩを介して同期位置を指定した場合、その同期位置を特定するための情報、例えばシーンの画像情報などを要約再生情報に含めるとともに、その同期位置に応じて、やはり要約再生情報で示される時間情報の前倒し等の補正処理を実行する。そのようにすれば次回以降の再生や、他の端末での再生時において画像マッチングによって同期位置を特定し要約再生をきちんと実行することができる。また、同期位置の特定に関しては、このように画像を利用する以外に、例えばユーザが「コンテンツのオープニングシーン１コマ目」「ＣＭ明け１コマ目」など特定の手がかりとなるようなコメント情報などを合わせて登録することで、後にその手がかりをもとにユーザの手によって同期位置の入力を受付け特定するよう構成されても良い。
【００２４】
あるいは、コンテンツ画像内に時刻が表示されていれば、例えば「１０：００」が最初に表示されるシーン（画像）を上記同様に同期位置として設定し、要約再生情報の時間情報の前倒しの補正処理や、他の端末での再生時のパターンマッチング処理などを実行するよう構成しても良い。あるいは、コンテンツがデジタル放送波であって、その放送波に時刻情報が含まれていれば、その時刻情報を利用して要約再生情報の時間情報を正確な時刻に合わせたものに補正する処理を実行しても良い。
【００２５】
以上のように要約再生情報の補正を実行することで、内蔵時計がずれているなど、同一のコンテンツを有する端末間で何らかの差がある場合でも、要約再生情報によるコンテンツの要約再生位置を補正し、同期させたうえで要約再生を実行することができるようになる。
【００２６】
<ハードウェア的構成>
図４は、上記機能的な各構成要件をハードウェアとして実現した際の、再生装置における構成の一例を表す概略図である。この図を利用して要約再生情報の補正処理におけるそれぞれのハードウェア構成部の働きについて説明する。この図にあるように、再生装置は、各種演算処理を行う「ＣＰＵ（中央演算装置）」（０４０１）と、「主メモリ」（０４０２）と、を備えている。また「ＨＤＤ」（０４０３）や、「内蔵時計」（０４０４）、「ＵＩ（ユーザーインターフェース）」（０４０５）、「ディスプレイ」（０４０６）も備えている。そしてそれらが「システムバス」などのデータ通信経路によって相互に接続され、情報の送受信や処理を行う。
【００２７】
また、「主メモリ」は、各種処理を行うプログラムをＣＰＵに実行させるために読み出すと同時にそのプログラムの作業領域でもあるワーク領域を提供する。また、この「主メモリ」や「ＨＤＤ」にはそれぞれ複数のアドレスが割り当てられており、「ＣＰＵ」で実行されるプログラムは、そのアドレスを特定しアクセスすることで相互にデータのやりとりを行い、処理を行うことが可能になっている。
【００２８】
ここで、ある放送番組コンテンツが「内蔵時計」の計時に従い指定された時刻にて図示しないチューナにて受信され、コンテンツデータとして「ＨＤＤ」に録画、保持されている。そしてユーザは、このコンテンツに関して要約再生情報を生成するため、「ＵＩ」から要約再生情報生成用のプログラムを起動させるとともに、コンテンツの再生命令を入力する。そしてその再生命令に応じてコンテンツが再生され、「ディスプレイ」に出力表示されると、ユーザは同じく「ＵＩ」を介して、コンテンツ中の所望のシーン、例えば野球番組中のホームランシーンの開始シーン／終了シーンに所定ボタンを押下する。すると、そのボタン押下を元に、「再生開始から１５分１２秒後から１７分００秒後」と言った具合の要約再生情報が「ＣＰＵ」の演算処理によって生成される。また、もちろん一のコンテンツに関して複数のシーンに関する入力を受付け要約再生情報が生成されても良い。そして、その生成された要約再生情報が、「ＨＤＤ」の所定のアドレスに格納される。
【００２９】
続いて、補正処理を実行するために、今度は「ＵＩ」から補正処理用のプログラムを起動させるとともに、コンテンツの再生命令を入力する。そしてその再生命令に応じてコンテンツが再生され、「ディスプレイ」に出力表示されると、ユーザは同じく「ＵＩ」を介して、コンテンツ中の同期位置を指定するため、例えば野球番組開始のテロップの１コマ目でボタン押下を行う。すると、例えばそのボタン押下のタイミングを示す「コンテンツ開始から３０秒」が同期位置を示す情報として取得され、要約再生情報の時間情報を３０秒ずつ前倒しにする補正が「ＣＰＵ」の演算処理によって実行される。その結果補正後の要約再生情報「同期位置から１４分４２秒後から１６分３０秒後」が算出され、「ＨＤＤ」に格納される。また、同期位置を示す情報として例えば再生されていたコマ画像やユーザが入力する「番組開始テロップ１コマ目」などのコメント情報が取得され、補正後の要約再生情報と関連付けて「ＨＤＤ」に保持される、という具合である。
【００３０】
そして、要約再生の際には、「ＨＤＤ」に保持されている要約再生情報に従い、まず画像マッチング処理を実行しコンテンツの開始位置として指定された同期位置を特定する。そして、特定されたコンテンツの同期位置、ここでコンテンツ開始３０秒後から、要約再生情報で示される１４分４２秒後の位置からの１６分３０秒後までの再生が実行される。また、要約再生情報によって複数の再生位置が指定されていれば、早送りや任意位置へのスキップを実施し、同様の要約再生を実行する、という具合である。
【００３１】
<処理の流れ>
図５は、本実施例の再生装置における処理の流れの一例を表すフローチャートである。なお、以下に示すステップは、媒体に記録され計算機を制御するためのプログラムを構成する処理ステップであっても構わない。この図にあるように、まず、コンテンツを再生するための再生部を有する再生装置において、再生部での再生に基づいて再生部で利用する再生開始・終了時間情報などを含むコンテンツの要約再生情報を生成し（ステップＳ０５０１）、生成した要約再生情報を保持するため記録する（ステップＳ０５０２）。そして、保持されている要約再生情報の時間情報を、例えば同期位置の指定などによって補正する（ステップＳ０５０３）。
【００３２】
<効果の簡単な説明>
以上のように本実施例の再生装置によって、内蔵時計がずれているなど、同一のコンテンツを有する端末間で何らかの差がある場合でも、要約再生情報によるコンテンツの要約再生位置を補正し、同期させたうえで要約再生を実行することができるようになる。
【００３３】
≪実施例２≫
<概要>
本実施例は、上記実施例を基本として、さらに、生成、補正した要約再生情報をネットワークなどを介して配信、取得、共有する機能を備える再生装置である。
【００３４】
<機能的構成>
図６は、本実施例の再生装置における機能ブロックの一例を表す図である。この図にあるように、本実施例の「再生装置」（０６００）は、上記実施例を基本として、「再生部」（０６０１）と、「要約再生情報生成部」（０６０２）と、「要約再生情報保持部」（０６０３）と、「補正部」（０６０４）と、を有する。なお、これら構成要件については、上記実施例にて既に記載済みであるのでその説明は省略する。そして、本実施例の特徴点は、再生装置が、さらに「要約再生情報取得部」（０６０５）を有する点である。
【００３５】
「要約再生情報取得部」（０６０５）は、保持部（０６０４）に保持すべき要約再生情報を他の再生装置から取得する機能を有し、例えば、インターネットやＬＡＮ（ローカル・エリア・ネットワーク）などのネットワークへの接続回路やその制御回路などで実現できる。あるいは要約再生情報が可搬型の記録媒体経由で取得されるのであれば、その記録媒体の読込ドライブなどで実現することもできる。
【００３６】
そして、このように取得した要約再生情報は、例えば同期位置を示す画像データとともに補正などされている要約再生情報であるため、例えば他の再生装置との間で内蔵時計がずれていたりタイムゾーンが相違などしたりしていても、正確に要約再生することができる、という具合である。
【００３７】
また、この要約再生情報は、例えばサーバなどに保持され構成し、複数のユーザの再生装置にて利用可能な要約再生情報配信サービスとして提供されても良い。その場合、ユーザは自身の保持するコンテンツの再生画像をキャプチャし、その要約再生情報と、キャプチャした画像情報をサーバに送信することで、サーバ上にて上記補正処理が実行されるよう構成しても良い。具体的には、サーバにて受信したその画像と要約再生情報から、画像マッチング処理によって、電子番組表の番組開始時刻などを基準として録画した場合の何秒目かに当たるのかを算出する。そしてその時間情報をベースに要約再生情報を補正し、他の再生装置に再配布する、という具合である。
【００３８】
<ハードウェア構成>
図７は、上記機能的な各構成要件をハードウェアとして実現した際の、再生装置における構成の一例を表す概略図である。この図にあるように、再生装置は、上記実施例を基本として「ＣＰＵ」（０７０１）と、「主メモリ」（０７０２）と、「ＨＤＤ」（０７０３）と、「内蔵時計」（０７０４）、「ＵＩ」（０７０５）、「ディスプレイ」（０７０６）を備えている。そして本実施例の再生装置は、さらに、要約再生情報取得部である「通信ＩＦ（インターフェース）」（０７０７）を備えている。そして、実施例１で記載したようにして補正された要約再生情報を、「通信ＩＦ」を介してインターネット上のサーバ装置に登録する。あるいは、サーバに登録されている他の再生装置の要約再生情報を「通信ＩＦ」にて受信し「ＨＤＤ」に記録する、という具合である。
【００３９】
<処理の流れ>
図８は、本実施例の再生装置における処理の流れの一例を表すフローチャートである。なお、以下に示すステップは、媒体に記録され計算機を制御するためのプログラムを構成する処理ステップであっても構わない。この図にあるように、まず、コンテンツを再生するための再生部を有する再生装置において、再生部での再生に基づいて再生部で利用する再生開始・終了時間情報などを含むコンテンツの要約再生情報を生成し（ステップＳ０８０１）、生成した要約再生情報を保持するため記録する（ステップＳ０８０２）。そして、保持されている要約再生情報の時間情報を、例えば同期位置の指定などによって補正する（ステップＳ０８０３）。そして補正された要約再生情報を、例えばネットワーク上のサーバに送信する（ステップＳ０８０４）。あるいは、同様にして他の再生装置から送信されサーバにて保持されている補正済みの要約再生情報を取得する（ステップＳ０８０５）。
【００４０】
<効果の簡単な説明>
以上のように本実施例の再生装置によって、再生装置間で例えば内蔵時計がずれていたりタイムゾーンが異なっていたりする場合でも、きちんと要約再生できるよう補正された要約再生情報を共有利用することができる。
【００４１】
≪実施例３≫
<概要>
本実施例は、上記実施例を基本として、さらに、例えばデジタル放送波で配信される時刻情報や、インターネットなどを介して受信可能な時刻情報、あるいは日本の標準時用電波（ＪＹＹ）などの正確な時刻を示す情報によって調整される時計部を利用して、上記要約再生情報の時間情報の補正を実行する機能を備えることを特徴とする再生装置である。
【００４２】
<機能的構成>
図９は、本実施例の再生装置における機能ブロックの一例を表す図である。この図にあるように、本実施例の「再生装置」（０９００）は、上記実施例を基本として、「再生部」（０９０１）と、「要約再生情報生成部」（０９０２）と、「要約再生情報保持部」（０９０３）と、「補正部」（０９０４）と、を有する。また、図示しない「要約再生情報取得部」を有していても良い。なお、これら構成要件については、上記実施例にて既に記載済みであるのでその説明は省略する。そして、本実施例の特徴点は、再生装置が、さらに「時計部」（０９０５）を有し、かつ補正部が「時計部基準補正手段」（０９０６）を有する点である。
【００４３】
「時計部」（０９０５）は、時間を計測する機能を有し、さらに、デジタル放送波で配信される時刻情報や、インターネットなどを介して受信可能な時刻情報、あるいは日本の標準時用電波（ＪＹＹ）などの正確な時刻を示す情報を利用して調整可能であることを特徴とする。
【００４４】
「時計部基準補正手段」（０９０６）は、要約再生情報に含まれる時間情報を時計部の時間に合わせるように補正する機能を有する。このようにして、正確な時間情報に基づいて、要約再生情報を補正することができる、という具合である。
【００４５】
<処理の流れ>
図１０は、本実施例の再生装置における処理の流れの一例を表すフローチャートである。なお、以下に示すステップは、媒体に記録され計算機を制御するためのプログラムを構成する処理ステップであっても構わない。この図にあるように、まず、コンテンツを再生するための再生部、および時計部とを有する再生装置において、再生部での再生に基づいて再生部で利用する再生開始・終了時間情報などを含むコンテンツの要約再生情報を生成し（ステップＳ１００１）、生成した要約再生情報を保持するため記録する（ステップＳ１００２）。そして、正確な時刻情報に応じて時計部を調整する（ステップＳ１００３）。そして保持されている要約再生情報の時間情報を、時計部の時間に合わせるよう補正する（ステップＳ１００４）。
【００４６】
<効果の簡単な説明>
以上のように本実施例の再生装置によって、正確な時刻に基づいて要約再生情報に含まれる時間情報を補正することができる。
【図面の簡単な説明】
【００４７】
【図１】実施例１の再生装置におけるコンテンツの要約再生の一例を表す概念図
【図２】実施例１の再生装置における機能ブロックの一例を表す図
【図３】実施例１の再生装置における要約再生情報の一例を表す図
【図４】実施例１の再生装置におけるハードウェア構成の一例を表す図
【図５】実施例１の再生装置における処理の流れの一例を表すフローチャート
【図６】実施例２の再生装置における機能ブロックの一例を表す図
【図７】実施例２の再生装置におけるハードウェア構成の一例を表す図
【図８】実施例２の再生装置における処理の流れの一例を表すフローチャート
【図９】実施例３の再生装置における機能ブロックの一例を表す図
【図１０】実施例３の再生装置における処理の流れの一例を表すフローチャート
【符号の説明】
【００４８】
０２００  再生装置
０２０１  再生部
０２０２  要約再生情報生成部
０２０３  要約再生情報保持部
０２０４  補正部
【図１】
2009027521.tif 000003
【図２】
2009027521.tif 000004
【図３】
2009027521.tif 000005
【図４】
2009027521.tif 000006
【図５】
2009027521.tif 000007
【図６】
2009027521.tif 000008
【図７】
2009027521.tif 000009
【図８】
2009027521.tif 000010
【図９】
2009027521.tif 000011
【図１０】
2009027521.tif 000012